(57)【要約】　　　（修正有）【課題】建設現場における軟弱地盤の補強として基礎に打ち込まれるスパイラルアンカー杭を提供する。【解決手段】本考案のスパイラルアンカー杭は、鋼管パイプ１の地中に埋設される周面に等間隔に一周巻かれたスパイラル羽根３と、該スパイラル羽根を避けて上下方向に隣接同士を角度９０°ずらして形成した複数個のピン穴４と、該ピン穴開口縁に溶接してアンカーピンを案内する短円筒状の支持案内筒と、該支持案内筒に摺動自在に嵌合して鋼管パイプ周面から半径方向外側に突出するアンカーピンとからなり、前記アンカーピンの外周面の一部に前記支持案内筒の板バネに一致する軸方向に沿ったストッパー溝に前記板バネの先端が係合する突条を形成する。さらに、前記スパイラル羽根は、前記鋼管パイプの周面に一周巻かれる長さを１ピッチとし、前記スパイラル羽根同士の間隔を１０ピッチとする。【選択図】　　図１
0003099166.tif 000002
【実用新案登録請求の範囲】
【請求項１】
先端に杭底板２が溶接された鋼管パイプ１と、該鋼管パイプ１の地中に埋設される周面に等間隔に一周巻かれたスパイラル羽根３と、該スパイラル羽根３を避けて上下方向に隣接同士を角度９０°ずらして形成した複数個のピン穴４と、該ピン穴４開口縁に溶接してアンカーピン６を案内する短円筒状の支持案内筒５と、該支持案内筒５に摺動自在に嵌合して鋼管パイプ１周面から半径方向外側に突出するアンカーピン６とからなるスパイラルアンカー杭において、
　前記支持案内筒５は、前記ピン穴４に嵌合する外径を有してピン穴４開口縁に溶接され、内周面の一部に軸方向に沿って連通する所定幅の浅溝７を形成し、該浅溝７に先端が外向きで中心方向に立ち上がるように取付した板バネ８を設け、前記支持案内筒５の内周面に摺動自在に嵌合する外径を有し、前記鋼管パイプ１内に格納される長さの円筒体からなり、前記円筒体の外周面の一部に前記支持案内筒５の板バネ８に一致する軸方向に沿って前記板バネ８幅で所定長さのストッパー溝１０を形成し、該ストッパー溝１０の横断方向には前記板バネ８の先端が係合する所定間隔の突条１１を形成すると共に、前記鋼管パイプ１内部側に前記支持案内筒５より大径の円板からなるストッパー９が前記支持案内筒５を塞ぐように前記円筒体に一体に溶接固定されたアンカーピン６とからなることを特徴とするスパイラルアンカー杭。
【請求項２】
前記スパイラル羽根３は、前記鋼管パイプ１の周面に一周巻かれる長さを１ピッチとし、前記スパイラル羽根３同士の間隔を１０ピッチとすることを特徴とする請求項１記載のスパイラルアンカー杭。
【考案の詳細な説明】
【技術分野】
【０００１】
　本考案は、建設現場における軟弱地盤の補強として基礎に打ち込まれた鋼管パイプの周面から半径外側に突出するアンカーピンと該アンカーピンを固定する支持案内筒とからなるスパイラルアンカー杭に関する。
【背景技術】
【０００２】
　従来、建設現場においては、軟弱地盤の補強のため鋼管パイプを埋設して地盤の補強が行われている。
　しかし、軟弱地盤の補強を完全にするためには、鋼管パイプは鋼管パイプの径を太くするか、鋼管パイプを長くするかの処置が必要であった為、製造経費や作業時間が増大する等の問題が生じていた。
　そこで、本出願人は、鋼管パイプの周面から半径外側に突出するアンカーピンを設けることにより、軟弱地盤の補強を行うアンカー基礎杭を発明し、特開２００２−１３８４７２号公報として出願した。
　しかし、上記鋼管パイプの周面から半径外側に突出するアンカーピンは、地盤圧力により押し戻されることが判明した。
【特許文献１】特開２００２−１３８４７２号公報
【考案の開示】
【考案が解決しようとする課題】
【０００３】
　そこで、本考案は、建設現場における軟弱地盤の補強として基礎に打ち込まれた鋼管パイプの周面から半径外側に突出するアンカーピンと該アンカーピンを固定する支持案内筒とからなるスパイラルアンカー杭を提供することを目的とする。
【課題を解決するための手段】
【０００４】
　本考案のスパイラルアンカー杭は、先端に杭底板が溶接された鋼管パイプと、該鋼管パイプの地中に埋設される周面に等間隔に一周巻かれたスパイラル羽根と、該スパイラル羽根を避けて上下方向に隣接同士を角度９０°ずらして形成した複数個のピン穴と、該ピン穴開口縁に溶接してアンカーピンを案内する短円筒状の支持案内筒と、該支持案内筒に摺動自在に嵌合して鋼管パイプ周面から半径方向外側に突出するアンカーピンとからなるものにおいて、
　前記支持案内筒は、前記ピン穴に嵌合する外径を有してピン穴開口縁に溶接され、内周面の一部に軸方向に沿って連通する所定幅の浅溝を形成し、該浅溝に先端が外向きで中心方向に立ち上がるように取付した板バネを設け、前記支持案内筒の内周面に摺動自在に嵌合する外径を有し、前記鋼管パイプ内に格納される長さの円筒体からなり、前記円筒体の外周面の一部に前記支持案内筒の板バネに一致する軸方向に沿って前記板バネ幅で所定長さのストッパー溝を形成し、該ストッパー溝の横断方向には前記板バネの先端が係合する所定間隔の突条を形成すると共に、前記鋼管パイプ内部側に前記支持案内筒より大径の円板からなるストッパーが前記支持案内筒を塞ぐように前記円筒体に一体に溶接固定されたアンカーピンとからなるものである。
　さらに、前記スパイラル羽根は、前記鋼管パイプの周面に一周巻かれる長さを１ピッチとし、前記スパイラル羽根同士の間隔を１０ピッチとするものである。
【考案の効果】
【０００５】
　本考案のスパイラルアンカー杭によれば、ピン穴に嵌合する外径を有しピン穴開口縁に溶接され、内周面の一部に軸方向に沿って連通する所定幅の浅溝を形成し、該浅溝に先端が外向きで中心方向に立ち上がるように形成した板バネを取り付けた支持案内筒と、該支持案内筒に摺動自在に嵌合する外径を有し、鋼管パイプ内に格納される長さの円筒体からなり、前記円筒体の外周面の一部に前記支持案内筒の板バネに一致する軸方向に沿って前記板バネ幅のストッパー溝を形成し、該ストッパー溝の横断方向には前記板バネの先端が係合する複数個の突条を形成すると共に、鋼管パイプの内部側に前記支持案内筒より大径の円板からなるストッパーがピン穴開口の前記支持案内筒を塞ぐように溶接固定されたアンカーピンとからなるので、地盤圧力により押し戻される力がアンカーピンに働いたとしても、板バネの先端がストッパー溝の突条に係合しているため、すべてのアンカーピンが突出した状態に固定される。
【考案を実施するための最良の形態】
【０００６】
　次に、本考案の実施例を以下に説明する。
　図１に示すように、本考案のスパイラルアンカー杭は、先端に杭底板２が溶接された鋼管パイプ１と、該鋼管パイプ１の地中に埋設される周面に等間隔に一周巻かれたスパイラル羽根３と、該スパイラル羽根３を避けて上下方向に隣接同士を角度９０°ずらして形成した複数個のピン穴４を設ける。
　また、前記スパイラル羽根３は、前記鋼管パイプ１の周面に一周巻かれる長さを１ピッチとし、前記スパイラル羽根３同士の間隔を１０ピッチとする。
　さらに、該ピン穴４開口縁に溶接して後述のアンカーピンを案内する図２に示す短円筒状の支持案内筒５と、該支持案内筒５に摺動自在に嵌合して鋼管パイプ１周面から半径方向外側に突出する図３に示すアンカーピン６とを設ける。
　なお、前記スパイラルアンカー杭の杭底板２先端を小径筒で２段にし、スパイラル羽根３を螺旋状に巻いた形状にすることにより、掘削し易くすることもできる。
【０００７】
　図２(a)断面図、(b)右側面図に示すように、前記支持案内筒５は、前記ピン穴４に嵌合する外径を有しピン穴４開口縁に溶接され、内周面の一部に軸方向に沿って連通する所定幅の浅溝７を形成し、該浅溝７に先端が外向きで中心方向に立ち上がるように、すなわち前記浅溝７の内部側に固定され、外部側に立ち上がり自由端を形成した板バネ８を取り付けた短円筒体である。
【０００８】
　図３に示すように、前記アンカーピン６は、前記支持案内筒５内周面に摺動自在に嵌合する外径を有し、前記鋼管パイプ１内に格納される長さの円筒体からなり、前記鋼管パイプ１の内部側に前記支持案内筒５より大径の円板からなるストッパー９がピン穴４開口の前記支持案内筒５を塞ぐように円筒体に一体に溶接固定されたものである。
　また、前記アンカーピン６の外周面の一部に前記支持案内筒５の板バネ８に一致する軸方向に沿って前記板バネ８幅で所定長さのストッパー溝１０を形成し、該ストッパー溝１０の横断方向には前記板バネ８の先端が係合する所定間隔の突条１１を形成する。
【０００９】
　次に、本考案のスパイラルアンカー杭の作動について以下に説明する。
　鋼管パイプ１が地中に埋設される時、図４の実線で示すように前記アンカーピン６は鋼管パイプ１内に収納され、ストッパー溝１０の先端側の突条１１に板バネ８の先端が係合した状態で保持されている。
　図５に示すアンカー出し機構の作動によりスパイラルアンカー杭の旋回により鋼管パイプ１の埋設が完了すると、図４の破線で示すように前記アンカーピン６が前記鋼管パイプ１の半径外側に押し出され、前記アンカーピン６のストッパー溝１０の突条１１が板バネ８を押し上げながら前記アンカーピン６が地中に突出される。
　なお、前記アンカー出し機構は、図５に示すように、油圧ジャッキ、昇降モーター、回転レバー、油圧ポンプ等とからなる。
　そして、前記アンカーピン６のストッパー９が前記支持案内筒５の内端面に接触すると、アンカー出し機構の作動が完了し逆動作が行われて油圧ジャッキが戻り、前記板バネ８がアンカーピン６のストッパー溝１０の突条１１の基端側に係合した状態、すなわち前記アンカーピン６が突出した状態で固定される。
【００１０】
　このようにして、すべてのアンカーピン６を突出した状態に保持すれば、地盤圧力により押し戻される力が前記アンカーピン６に働いても板バネ８の先端がストッパー溝１０の突条１１に係合しているため前記アンカーピン６が戻ることはない。
【図面の簡単な説明】
【００１１】
【図１】本考案のスパイラルアンカー杭の斜視図である。
【図２】本考案の支持案内筒の説明図である。
【図３】本考案のアンカーピンの平面図である。
【図４】本考案のアンカーピンを組み込んだ状態の断面図である。
【図５】本考案のアンカー出し機構の説明図である。
【符号の説明】
【００１２】
　１：鋼管パイプ
　２：杭底板
　３：スパイラル羽根
　４：ピン穴
　５：支持案内筒
　６：アンカーピン
　７：浅溝
　８：板バネ
　９：ストッパー
１０：ストッパー溝
１１：突条
【図１】
0003099166.tif 000003
【図２】
0003099166.tif 000004
【図３】
0003099166.tif 000005
【図４】
0003099166.tif 000006
【図５】
0003099166.tif 000007